(57)【要約】【課題】液体噴射ヘッドのノズルが詰まることを抑制することが可能な液体噴射装置を提供する。【解決手段】インクジェット式プリンター１１は、搬送経路に沿って上流側から下流側へ搬送されるフィルムＦに対して気化状態における比重が空気よりも大きい溶媒を含む溶剤インクを各ノズル４１ａから噴射可能な記録ヘッド４１と、搬送経路の一部を形成し、フィルムＦを記録ヘッド４１と対向するように水平な印刷支持面２０ａで支持するメイン支持部２０と、メイン支持部２０を加熱する印刷ヒーター２３とを備える。そして、印刷支持面２０ａにおけるフィルムＦの搬送方向と直交する幅方向の長さは、最大幅のフィルムＦの幅よりも長くなっている。【選択図】図１
2013158679.tif 000002
【特許請求の範囲】
【請求項１】
搬送経路に沿って上流側から下流側へ搬送されるターゲットに対して気化状態における比重が空気よりも大きい溶媒を含む液体をノズルから噴射可能な液体噴射ヘッドと、
前記搬送経路の一部を形成し、前記ターゲットを前記液体噴射ヘッドと対向するように水平な支持面で支持するメイン支持部と、
前記メイン支持部を加熱するメイン加熱部と
を備え、
前記支持面における前記ターゲットの搬送方向と直交する幅方向の長さは、最大幅の前記ターゲットの幅よりも長いことを特徴とする液体噴射装置。
【請求項２】
前記搬送経路の一部を形成し、前記搬送経路における前記メイン支持部の下流側で前記ターゲットを支持する下流側支持部と、
前記下流側支持部を加熱する下流側加熱部と
を備え、
前記下流側支持部は、前記搬送経路における下流側ほど高さが低くなっていることを特徴とする請求項１に記載の液体噴射装置。
【請求項３】
前記メイン加熱部と前記下流側加熱部とをそれぞれ制御する制御部を備え、
前記制御部は、前記下流側支持部の温度が前記メイン支持部の温度よりも高くなるように、前記メイン加熱部と前記下流側加熱部とをそれぞれ制御することを特徴とする請求項２に記載の液体噴射装置。
【請求項４】
前記液体は、前記溶媒を４０重量パーセント以上含むことを特徴とする請求項１〜請求項３のうちいずれか一項に記載の液体噴射装置。
【請求項５】
前記溶媒は、ジエチレングリコールジエチルエーテル、テトラエチレングリコールジメチルエーテル、及びジエチレングリコールメチルエチルエーテルのうち少なくとも１つを含むことを特徴とする請求項１〜請求項４のうちいずれか一項に記載の液体噴射装置。
【発明の詳細な説明】
【技術分野】
【０００１】
本発明は、例えばインクジェット式プリンターなどの液体噴射装置に関する。
【背景技術】
【０００２】
一般に、液体噴射ヘッドから液体を噴射させる液体噴射装置として、インクジェット式プリンターが広く知られている。このプリンターでは、インク（液体）を収容するインクカートリッジから記録ヘッド（液体噴射ヘッド）にインクを供給し、その供給したインクを記録ヘッドのノズルから支持台（メイン支持部）に支持された用紙（ターゲット）に向かって噴射することで印刷が行われる。
【０００３】
こうしたプリンターの中には、耐候性や耐水性などを高めるべく、有機溶媒を主成分とした溶剤インクを用いるものがある（例えば、特許文献１）。この特許文献１のプリンターは、プラテン上を搬送されるメディアにノズルからインク滴を噴射するプリントヘッドと、プリントヘッドからインク滴が噴射される前のメディアを予備的に加熱するプリヒーターと、プリントヘッドから噴射されたインクを着弾させるメディアを加熱するプリントヒーターとを備えている。
【０００４】
そして、プリヒーターとプリントヒーターとによって十分に加熱された状態のメディアに対してプリントヘッドからインク滴を噴射して該メディアに着弾したインク滴を素早く乾燥させることで、滲みのない鮮明な絵図や文字の印刷を行うようにしている。
【先行技術文献】
【特許文献】
【０００５】
【特許文献１】特開２０１０−３０３１３号公報
【発明の概要】
【発明が解決しようとする課題】
【０００６】
ところで、特許文献１のプリンターでは、プリントヘッドのノズルから噴射されてメディアに着弾したインク滴を素早く乾燥させるべく、プラテンの内部に設けられたプリヒーターとプリントヒーターとによってメディアを３０〜７０℃に加熱している。
【０００７】
このため、プリントヘッド近傍の温度もメディアとほぼ同じ温度になってしまうので、特にメディアの温度が７０℃近傍となる場合では、プリントヘッドのノズル内のインクが乾燥されてノズルが詰まってしまい、該ノズルからインク滴が正常に噴射されなくなるおそれがあるという問題がある。
【０００８】
本発明は、このような従来技術に存在する問題点に着目してなされたものである。その目的とするところは、液体噴射ヘッドのノズルが詰まることを抑制することが可能な液体噴射装置を提供することにある。
【課題を解決するための手段】
【０００９】
上記目的を達成するために、本発明の液体噴射装置は、搬送経路に沿って上流側から下流側へ搬送されるターゲットに対して気化状態における比重が空気よりも大きい溶媒を含む液体をノズルから噴射可能な液体噴射ヘッドと、前記搬送経路の一部を形成し、前記ターゲットを前記液体噴射ヘッドと対向するように水平な支持面で支持するメイン支持部と、前記メイン支持部を加熱するメイン加熱部とを備え、前記支持面における前記ターゲットの搬送方向と直交する幅方向の長さは、最大幅の前記ターゲットの幅よりも長い。
【００１０】
この発明によれば、液体に含まれる溶媒の気化状態における比重が空気よりも大きいため、液体噴射ヘッドのノズルから支持面上のターゲットに液体を噴射すると、ノズル内の液体から気化する溶媒やターゲットに付着した液体から気化する溶媒が液体噴射ヘッドと支持面との間の領域に滞留する。このため、この滞留した溶媒によって液体噴射ヘッドのノズル内の液体（溶媒）の蒸発が抑制されるので、該液体の増粘が抑えられる。この結果、液体噴射ヘッドのノズルが詰まることを抑制することが可能となる。
【００１１】
本発明の液体噴射装置は、前記搬送経路の一部を形成し、前記搬送経路における前記メイン支持部の下流側で前記ターゲットを支持する下流側支持部と、前記下流側支持部を加熱する下流側加熱部とを備え、前記下流側支持部は、前記搬送経路における下流側ほど高さが低くなっている。
【００１２】
通常、ターゲット上に溶媒が気化状態で滞留していると、ターゲットに付着した液体の蒸発が阻害されてしまう。この点、この発明によれば、下流側支持部は搬送経路における下流側ほど高さが低くなっているため、液体が噴射されたターゲット上に気化状態で滞留した溶媒は、下流側支持部において重力により搬送経路の下流側へ流動されて除去される。このため、ターゲットに付着した液体を、下流側加熱部による下流側支持部を介した該ターゲットの加熱によって円滑に蒸発させることが可能となる。
【００１３】
本発明の液体噴射装置において、前記メイン加熱部と前記下流側加熱部とをそれぞれ制御する制御部を備え、前記制御部は、前記下流側支持部の温度が前記メイン支持部の温度よりも高くなるように、前記メイン加熱部と前記下流側加熱部とをそれぞれ制御する。
【００１４】
この発明によれば、メイン支持部の支持面上でターゲットに付着して未だ蒸発していない液体を、下流側加熱部による下流側支持部を介した該ターゲットの加熱によって迅速に蒸発させることが可能となる。
【００１５】
本発明の液体噴射装置において、前記液体は、前記溶媒を４０重量パーセント以上含む。
この発明によれば、液体噴射ヘッドのノズルからターゲットに対して液体を噴射した際に、ターゲットから蒸発した液体中の上記溶媒が蒸発して液体噴射ヘッドの周囲に滞留しやすくすることが可能となる。
【００１６】
本発明の液体噴射装置において、前記溶媒は、ジエチレングリコールジエチルエーテル、テトラエチレングリコールジメチルエーテル、及びジエチレングリコールメチルエチルエーテルのうち少なくとも１つを含む。
【００１７】
この発明によれば、液体噴射ヘッドのノズルからターゲットに対して液体を噴射した際に、ターゲットから蒸発した液体中の上記溶媒が蒸発して液体噴射ヘッドの周囲に一層滞留しやすくすることが可能となる。
【図面の簡単な説明】
【００１８】
【図１】実施形態のインクジェット式プリンターの概略構成を示す側断面模式図。
【図２】同プリンターのフィルムを支持する各支持部の模式図。
【図３】同プリンターの電気的構成を示すブロック図。
【図４】同プリンターにおいて、最大幅のフィルムを印刷するときの記録ヘッドとメンテナンスユニットとの位置関係を示す模式図。
【図５】同プリンターにおいて、最小幅のフィルムを印刷するときの記録ヘッドとメンテナンスユニットとの位置関係を示す模式図。
【発明を実施するための形態】
【００１９】
以下、本発明の液体噴射装置をインクジェット式プリンターに具体化した一実施形態を図面に従って説明する。
図１に示すように、液体噴射装置としてのインクジェット式プリンター１１は、本体フレーム１２を備えている。本体フレーム１２には、ロール・ツー・ロール方式でターゲットとしての塩化ビニル系のフィルムＦをその搬送経路に沿って上流側から下流側に向かって搬送する搬送ユニット１３が設けられている。さらに、本体フレーム１２には、搬送ユニット１３によって搬送されるフィルムＦに気化状態における比重が空気よりも大きい溶媒（以下、「高比重気化溶媒」という）を含む液体としての溶剤インクを噴射する液体噴射ユニット１４が設けられている。
【００２０】
搬送ユニット１３は、搬送経路の上流側でロール状のフィルムＦを支持するとともに該フィルムＦを巻き解きながら搬送経路に沿って下流側へ繰り出す繰出軸１５と、繰出軸１５から繰り出されたフィルムＦを下流側で巻き取る巻取軸１６とを備えている。繰出軸１５は巻取軸１６よりも高い位置に配置されるとともに、フィルムＦの搬送経路は全体として略円弧状をなしている。
【００２１】
繰出軸１５及び巻取軸１６は、フィルムＦの搬送方向と直交する幅方向に延びる軸線を中心に回転可能に構成されるとともに、互いに平行となるように延びている。繰出軸１５には、フィルムＦが繰り出される方向に該繰出軸１５を回転駆動する繰出モーター１７（図３参照）が設けられている。一方、巻取軸１６には、フィルムＦが巻き取られる方向に該巻取軸１６を回転駆動する巻取モーター１８（図３参照）が設けられている。
【００２２】
フィルムＦの搬送経路の途中位置には、該搬送経路の一部を形成するとともに繰出軸１５から巻取軸１６に向かって搬送されるフィルムＦを一方側（図１では下側）から支持する略矩形板状のメイン支持部２０が配置されている。そして、メイン支持部２０におけるフィルムＦを支持する面は、水平な支持面としての印刷支持面２０ａとされている。
【００２３】
フィルムＦの搬送経路におけるメイン支持部２０の上流側には、該搬送経路の一部を形成するとともにフィルムＦを一方側（図１では下側）から支持する板状の上流側支持部２１がメイン支持部２０と隣り合うように配置されている。上流側支持部２１は、下流側へ向かうほど高さが高くなるように湾曲（屈曲）されている。そして、上流側支持部２１におけるフィルムＦを支持する面は、上流側支持面２１ａとされている。
【００２４】
フィルムＦの搬送経路におけるメイン支持部２０の下流側には、該搬送経路の一部を形成するとともにフィルムＦを一方側（図１では下側）から支持する板状の下流側支持部２２がメイン支持部２０と隣り合うように配置されている。下流側支持部２２は、下流側へ向かうほど高さが低くなるように湾曲（屈曲）されている。そして、下流側支持部２２におけるフィルムＦを支持する面は、下流側支持面２２ａとされている。
【００２５】
なお、上流側支持面２１ａにおける下流側の端部と、印刷支持面２０ａと、下流側支持面２２ａにおける上流側の端部とは、面一となっている。
フィルムＦの搬送方向における上流側支持部２１の長さは、フィルムＦの搬送方向におけるメイン支持部２０の長さよりも長く、且つフィルムＦの搬送方向における下流側支持部２２の長さよりも短くなっている。フィルムＦの搬送方向と直交する幅方向における各支持部２０〜２２の長さは、互いに同じになっているとともに最大幅のフィルムＦの幅よりも長くなっている。
【００２６】
図１及び図２に示すように、メイン支持部２０における印刷支持面２０ａとは反対側の面には、メイン支持部２０を加熱するメイン加熱部としての印刷ヒーター２３が蛇行状に這うように設けられている。さらに、メイン支持部２０における印刷支持面２０ａとは反対側の面には、メイン支持部２０の温度を検出する印刷温度センサー２４が設けられている。
【００２７】
上流側支持部２１における上流側支持面２１ａとは反対側の面には、上流側支持部２１を加熱する上流側ヒーター２５が蛇行状に這うように設けられている。さらに、上流側支持部２１における上流側支持面２１ａとは反対側の面には、上流側支持部２１の温度を検出する上流側温度センサー２６が設けられている。
【００２８】
下流側支持部２２における下流側支持面２２ａとは反対側の面には、下流側支持部２２を加熱する下流側加熱部としての下流側ヒーター２７が蛇行状に這うように設けられている。さらに、下流側支持部２２における下流側支持面２２ａとは反対側の面には、下流側支持部２２の温度を検出する下流側温度センサー２８が設けられている。
【００２９】
図１に示すように、フィルムＦの搬送経路におけるメイン支持部２０と上流側支持部２１との間には、上流側支持面２１ａ上のフィルムＦを挟持しながら印刷支持面２０ａ上へ搬送する第１搬送ローラー対３０が配置されている。一方、フィルムＦの搬送経路におけるメイン支持部２０と下流側支持部２２との間には、印刷支持面２０ａ上のフィルムＦを挟持しながら下流側支持面２２ａ上へ搬送する第２搬送ローラー対３１が配置されている。各ローラー対３０，３１は、搬送モーター３２（図３参照）によって回転駆動される。
【００３０】
また、フィルムＦの搬送経路における下流側支持部２２と巻取軸１６との間には、搬送されるフィルムＦにテンションを付与するテンションローラー３３が配置されている。すなわち、テンションローラー３３は、一端側が本体フレーム１２に揺動可能に支持された揺動フレーム３４の他端側に回転可能に支持されるとともに、フィルムＦにおける各支持部２０〜２２によって支持される側の面に接触するように配置されている。
【００３１】
テンションローラー３３は、フィルムＦの搬送方向と直交する幅方向に延びるとともに、その長さが最大幅のフィルムＦの幅よりも長くなっている。そして、テンションローラー３３は、揺動フレーム３４によって常にフィルムＦを押圧する方向へ一定の付勢力で付勢されている。
【００３２】
図１に示すように、液体噴射ユニット１４は、メイン支持部２０の上方に配置されたキャリッジ４０と、キャリッジ４０の下端部にメイン支持部２０の印刷支持面２０ａと対向するように支持された液体噴射ヘッドとしての記録ヘッド４１とを備えている。したがって、メイン支持部２０は、フィルムＦを記録ヘッド４１と対向するように支持する。
【００３３】
キャリッジ４０は、本体フレーム１２に設けられたガイド部材４２によってフィルムＦの搬送方向と直交する幅方向に移動可能に支持されている。ガイド部材４２は、キャリッジ４０よりもフィルムＦの搬送経路の上流側に位置するとともに、フィルムＦの搬送方向と直交する幅方向に延びている。
【００３４】
ガイド部材４２におけるキャリッジ４０側の面にはフィルムＦの搬送方向と直交する幅方向に延びる主ガイド軸４３が設けられるとともに、ガイド部材４２の上面にはフィルムＦの搬送方向と直交する幅方向に延びる副ガイド軸４４が設けられている。
【００３５】
主ガイド軸４３は、キャリッジ４０におけるガイド部材４２との対向面の下端部に設けられた摺動溝４５内に挿通された状態で摺接している。一方、副ガイド軸４４には、キャリッジ４０におけるガイド部材４２との対向面の上端部に設けられたＬ字状の係合片４６が摺動可能に係合している。そして、キャリッジ４０は、キャリッジモーター４７（図３参照）の駆動に基づき図示しない移動機構によってガイド部材４２に沿ってフィルムＦの搬送方向と直交する幅方向に往復移動される。
【００３６】
記録ヘッド４１におけるメイン支持部２０に支持されたフィルムＦとの対向面には、該フィルムＦに溶剤インクを噴射するための複数のノズル４１ａが開口している。各ノズル４１ａは、フィルムＦの搬送方向と直交する幅方向と平行な水平方向に等間隔で配列されている。また、記録ヘッド４１には対応するインクカートリッジ（図示略）から互いに異なる色の溶剤インクがそれぞれ供給されるとともに、記録ヘッド４１内には溶剤インクを各ノズル４１ａから噴射させるための圧電素子４８（図３参照）がそれぞれ備えられている。
【００３７】
そして、キャリッジ４０をフィルムＦの搬送方向と直交する幅方向に往復移動させながら、圧電素子４８（図３参照）を駆動することで、インクカートリッジ（図示略）内の各溶剤インクが記録ヘッド４１へと供給され、該記録ヘッド４１の各ノズル４１ａからメイン支持部２０の印刷支持面２０ａに支持されたフィルムＦに該各溶剤インクがそれぞれ噴射されて印刷が行われる。なお、液体噴射ユニット１４は、本体フレーム１２に対して開閉自在に設けられたカバー部材４９によって覆われている。
【００３８】
図４に示すように、フィルムＦの搬送方向と直交する幅方向におけるメイン支持部２０の一方側（図４では右側）に隣り合う位置には、記録ヘッド４１のメンテナンス（クリーニングやフラッシングなど）を行うためのメンテナンスユニット５１が配置されている。そして、記録ヘッド４１のメンテナンスを行う場合には、記録ヘッド４１を、フィルムＦと対向する印刷位置（図４の実線で示す位置）からメンテナンスユニット５１と対向するメンテナンス位置（図４の２点鎖線で示す位置）まで移動される。
【００３９】
また、本実施形態では、メイン支持部２０の印刷支持面２０ａ上のフィルムＦの搬送方向と直交する幅方向におけるフィルムＦの端部と印刷支持面２０ａ上の端部との位置合わせは、メンテナンスユニット５１側の端部を基準として行われる。すなわち、印刷対象が、図４に示した最大幅のフィルムＦの場合であっても、図５に示した最小幅のフィルムＦであっても、フィルムＦの端部と印刷支持面２０ａ上の端部との位置合わせは、メンテナンスユニット５１側の端部を基準として行われる。
【００４０】
次に、溶剤インクについて詳述する。
溶剤インクには少なくとも一つの高比重気化溶媒と水が含まれているが、印刷時におけるフィルムＦに対する定着性を考慮すると、溶剤インクには４０重量パーセント以上の高比重気化溶媒が含まれることが好ましい。
【００４１】
また、溶剤インクに含まれる高比重気化溶媒は、印刷時におけるフィルムＦに対する溶剤インクの更なる定着性を考慮すると、ジエチレングリコールジエチルエーテル、テトラエチレングリコールジメチルエーテル、及びジエチレングリコールメチルエチルエーテルよりなる群から選ばれた少なくとも一つの溶媒であることが好ましい。
【００４２】
そして、本実施形態の溶剤インクには、高比重気化溶媒として、ジエチレングリコールジエチルエーテルが４０〜５０重量パーセント、テトラエチレングリコールジメチルエーテルが１０〜２０重量パーセント、ジエチレングリコールメチルエチルエーテルが１５〜２５重量パーセントが含まれる。すなわち、溶剤インクには、高比重気化溶媒が４０重量パーセント以上含まれる。さらに、本実施形態の溶剤インクには、塩化ビニル系のフィルムＦの溶解剤としてのガンマブチロラクトンが１０〜２０重量パーセント含まれる。
【００４３】
さらに、上記以外の高比重気化溶媒としては、エチレングリコール、ジエチレングリコール、トリエチレングリコール、テトラエチレングリコール、プロピレングリコール、ポリエチレングリコール、ポリプロピレングリコール、チオジグリコールなどのグリコール及びこれらの誘導体；ブタンジオール、ペンタンジオール、ヘキサンジオール、メチルプロパンジオール、シクロヘキサンジオール及び同族（homologous）ジオールなどのジオール；プロピレングリコールラウレートなどのグリコールエステル；エチレングリコールモノブチルエーテルを含むセロソルブ（CELLOSOLVE；登録商標）などのモノ及びジグリコールエーテル、カルビトール（CARBITOL；登録商標）などのジエチレングリコールエーテル、ジエチレングリコールモノエチル，モノブチル，モノヘキシルエーテル、プロピレングリコールエーテル、ジプロピレングリコールエーテル及びトリエチレングリコールエーテル；ブチルアルコール、ペンチルアルコール及び同族アルコールなどの長鎖アルコール；及び他の溶媒、例えば、スルホラン、エステル、ケトン、ラクトン、２−ピロリドン、Ｎ−ピロリドン及びＮ−（２−ヒドロキシエチル）ピロリドンや、ソルビトール、マンニトール、グリセロール及びミオイノシトールなどの多価アルコール、及びこれらの誘導体が挙げられる。
【００４４】
次に、インクジェット式プリンター１１の電気的構成について説明する。
図３に示すように、インクジェット式プリンター１１は、装置全体を統括制御する制御部５０を備えている。制御部５０の入力側インターフェース（図示略）には、上流側温度センサー２６、印刷温度センサー２４、及び下流側温度センサー２８がそれぞれ電気的に接続されている。また、制御部５０の出力側インターフェース（図示略）には、搬送モーター３２、繰出モーター１７、巻取モーター１８、キャリッジモーター４７、圧電素子４８、上流側ヒーター２５、印刷ヒーター２３、及び下流側ヒーター２７がそれぞれ電気的に接続されている。
【００４５】
そして、制御部５０は、搬送モーター３２、繰出モーター１７、巻取モーター１８、キャリッジモーター４７、及び圧電素子４８の駆動を個別に制御する。また、制御部５０は、各センサー２４，２６，２８から送信される信号に基づいて、各ヒーター２３，２５，２７への通電状態をそれぞれ制御する。
【００４６】
そして、本実施形態においては、制御部５０は、メイン支持部２０及び上流側支持部２１の温度が４０℃となるとともに下流側支持部２２の温度が５０℃となるように、各ヒーター２３，２５，２７への通電状態をそれぞれ制御する。すなわち、制御部５０は、メイン支持部２０及び上流側支持部２１の温度が同じになるとともに、下流側支持部２２の温度がメイン支持部２０及び上流側支持部２１の温度よりも高くなるように、各ヒーター２３，２５，２７への通電状態をそれぞれ制御する。
【００４７】
次に、インクジェット式プリンター１１の作用について説明する。
さて、フィルムＦの印刷を行う場合には、まず、メイン支持部２０及び上流側支持部２１の温度が４０℃となるとともに下流側支持部２２の温度が５０℃となるように、各ヒーター２３，２５，２７に対して通電したり通電を停止したりする通電制御を行う。続いて、繰出モーター１７、巻取モーター１８、及び搬送モーター３２を駆動する。すると、繰出軸１５からフィルムＦがその搬送経路に沿って繰り出される。この繰出軸１５から繰り出されたフィルムＦは、上流側支持部２１の上流側支持面２１ａ上を第１搬送ローラー対３０に向かって搬送される。
【００４８】
このとき、フィルムＦは、４０℃に加熱された上流側支持部２１の熱により該上流側支持部２１の温度よりも若干（２℃程度）低い温度である３８℃程度に温められる。この３８℃程度に温められたフィルムＦは、第１搬送ローラー対３０によって挟持されながらメイン支持部２０の印刷支持面２０ａ上へ搬送される。
【００４９】
印刷支持面２０ａ上へ搬送されたフィルムＦは、４０℃に加熱されたメイン支持部２０から熱を得ることで、３８℃程度の温度に維持される。そして、キャリッジモーター４７を駆動してキャリッジ４０をフィルムＦの搬送方向と直交する幅方向に往復移動させながら記録ヘッド４１の各圧電素子４８を駆動すると、印刷支持面２０ａ上のフィルムＦに記録ヘッド４１の各ノズル４１ａから各溶剤インクがそれぞれ噴射されてフィルムＦの印刷が行われる。
【００５０】
このとき、印刷支持面２０ａ上のフィルムＦは、３８℃程度の温度に維持されているため、フィルムＦの表面（印刷面）に着弾した各溶剤インク中の高比重気化溶媒の蒸発が促進される。さらにこのとき、高比重気化溶媒の気化状態における比重が空気よりも大きく、且つ印刷支持面２０ａの幅がフィルムＦの幅よりも広くなっているため、高比重気化溶媒は、気化状態になった（蒸発した）後に、重力によって印刷支持面２０ａ上や該印刷支持面２０ａに支持されているフィルムＦ上に滞留する。
【００５１】
印刷支持面２０ａ上やフィルムＦ上に滞留した気化状態の高比重気化溶媒は徐々に周囲へと流動しようとするが、特にフィルムＦの搬送経路に沿って流動しようとする気化状態の高比重気化溶媒は、各ローラー対３０，３１やガイド部材４２によって、その流動が妨げられる。
【００５２】
このため、記録ヘッド４１の周囲における気化状態の高比重気化溶媒の濃度が高くなるので、記録ヘッド４１の各ノズル４１ａ内の各溶剤インク中の高比重気化溶媒の蒸発が抑制されて、該各溶剤インクの増粘が抑えられる。この結果、記録ヘッド４１の各ノズル４１ａが詰まることが抑制されるので、該各ノズル４１ａからの溶剤インクの噴射不良の発生が抑制される。
【００５３】
続いて、印刷支持面２０ａ上で印刷がなされたフィルムＦは、第２搬送ローラー対３１によって挟持されながら下流側支持部２２の下流側支持面２２ａ上へ搬送される。このとき、下流側支持面２２ａ上へ搬送されたフィルムＦは、５０℃に加熱された下流側支持部２２から熱を得る。これにより、このフィルムＦに着弾した溶剤インクのうち未だ乾燥していないものが速やかに乾燥されて、該フィルムＦに対して該溶剤インクが完全に定着する。
【００５４】
このとき、下流側支持部２２の下流側支持面２２ａはフィルムＦの搬送方向の下流側ほど高さが低くなっているため、下流側支持面２２ａに支持された状態のフィルムＦ上に滞留した気化状態の高比重気化溶媒は重力によって下流側へ速やかに流動する。このため、下流側支持面２２ａ上のフィルムＦにおける溶剤インクの乾燥が気化状態の高比重気化溶媒によって妨げられることがなくなる。
【００５５】
因みに下流側支持面２２ａ上のフィルムＦの印刷面が気化状態の高比重気化溶媒で覆われていると、この気化状態の高比重気化溶媒によってフィルムＦからの溶剤インク（高比重気化溶媒）の蒸発が妨げられる。このため、下流側支持面２２ａ上のフィルムＦにおける溶剤インクの乾燥効率が低下して、フィルムＦに対する溶剤インクの定着性が悪くなってしまう。
【００５６】
そして、下流側支持面２２ａ上で溶剤インクが乾燥されて完全に定着したフィルムＦは、その搬送経路に沿って下流側へ搬送され、テンションローラー３３を経由して巻取軸１６によって順次巻き取られる。
【００５７】
以上、詳述した実施形態によれば以下の効果を得ることができる。
（１）溶剤インクには気化状態における比重が空気よりも大きい高比重気化溶媒が含まれ、且つ印刷支持面２０ａの幅はフィルムＦの幅よりも広くなっている。このため、印刷時に記録ヘッド４１の各ノズル４１ａから印刷支持面２０ａ上のフィルムＦに溶剤インクを噴射すると、各ノズル４１ａ内の溶剤インクから蒸発（気化）した高比重気化溶媒やフィルムＦに付着した溶剤インクから蒸発（気化）した高比重気化溶媒が記録ヘッド４１と印刷支持面２０ａとの間の領域に滞留する。したがって、この滞留した気化状態の高比重気化溶媒によって記録ヘッド４１の各ノズル４１ａ内の溶剤インク中の高比重気化溶媒の蒸発が抑制されるので、該溶剤インクの増粘を抑えることができる。この結果、記録ヘッド４１の各ノズル４１ａが詰まることを抑制できるので、該各ノズル４１ａからの溶剤インクの噴射不良の発生を抑制することができる。
【００５８】
（２）下流側支持部２２の下流側支持面２２ａはフィルムＦの搬送方向の下流側ほど高さが低くなっているため、下流側支持面２２ａに支持された状態のフィルムＦ上に滞留した気化状態の高比重気化溶媒は、重力によって下流側へ速やかに流動されて除去される。このため、下流側支持面２２ａ上のフィルムＦに付着した溶剤インクを、気化状態の高比重気化溶媒によって妨げられることなく、下流側ヒーター２７によって加熱された下流側支持部２２の熱によって円滑に蒸発させることができる。
【００５９】
因みに下流側支持面２２ａ上のフィルムＦの印刷面が気化状態の高比重気化溶媒で覆われていると、この気化状態の高比重気化溶媒によってフィルムＦからの溶剤インク（高比重気化溶媒）の蒸発が妨げられる。このため、下流側支持面２２ａ上のフィルムＦにおける溶剤インクの乾燥効率が低下して、フィルムＦに対する溶剤インクの定着性が悪くなってしまう。
【００６０】
（３）下流側支持部２２の温度がメイン支持部２０の温度よりも高いため、メイン支持部２０の印刷支持面２０ａ上でフィルムＦに付着して未だ蒸発していない溶剤インクを、該フィルムＦが下流側支持部２２の下流側支持面２２ａ上を搬送される過程で迅速に蒸発させることができる。
【００６１】
（４）溶剤インクは高比重気化溶媒を４０重量パーセント以上含むため、記録ヘッド４１の各ノズル４１ａからフィルムＦに対して溶剤インクを噴射した際に、フィルムＦから蒸発した溶剤インク中の高比重気化溶媒が蒸発して記録ヘッド４１の周囲に滞留しやすくすることができる。
【００６２】
（５）メイン支持部２０の印刷支持面２０ａ上のフィルムＦの搬送方向と直交する幅方向におけるフィルムＦの端部と印刷支持面２０ａ上の端部との位置合わせは、印刷するフィルムＦの幅に拘わらず、メンテナンスユニット５１側の端部を基準として行われる。このため、フィルムＦの搬送方向と直交する幅方向におけるフィルムＦの端部と印刷支持面２０ａ上の端部との位置合わせをメンテナンスユニット５１側とは反対側の端部を基準として行う場合に比べて、記録ヘッド４１のメンテナンス時におけるキャリッジ４０の移動距離を短くすることができる。
（変更例）
なお、上記実施形態は以下のように変更してもよい。
【００６３】
・溶剤インクに含まれる高比重気化溶媒は、４０重量パーセント未満であってもよい。
・下流側支持部２２の温度は、必ずしもメイン支持部２０の温度よりも高くする必要はない。
【００６４】
・下流側支持部２２は、全く加熱しなくてもよい。
・上流側支持部２１及び下流側支持部２２のうち少なくとも一方を省略してもよい。
・下流側支持部２２の下流側支持面２２ａは、必ずしもフィルムＦの搬送方向の下流側ほど高さが低くなるように構成する必要はない。すなわち、下流側支持面２２ａを、水平面となるように構成してもよいし、フィルムＦの搬送方向の下流側ほど高さが高くなるように構成してもよい。
【００６５】
・フィルムＦの代わりに、紙、布、箔などをターゲットして用いてもよい。
・上記実施形態では、液体噴射装置をインクジェット式プリンター１１に具体化したが、インク以外の他の液体を噴射したり吐出したりする液体噴射装置を採用してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００６６】
１１…液体噴射装置としてのインクジェット式プリンター、２０…メイン支持部、２０ａ…支持面としての印刷支持面、２２…下流側支持部、２３…メイン加熱部としての印刷ヒーター、２７…下流側加熱部としての下流側ヒーター、４１…液体噴射ヘッドとしての記録ヘッド、４１ａ…ノズル、５０…制御部、Ｆ…ターゲットとしてのフィルム。
【図１】
2013158679.tif 000003
【図２】
2013158679.tif 000004
【図３】
2013158679.tif 000005
【図４】
2013158679.tif 000006
【図５】
2013158679.tif 000007